(57)【特許請求の範囲】
【請求項１】
外筒体と、灯体と、化粧パネルとを備え、
前記外筒体は、円筒形状に形成されて、内周面に雌ねじを有し、
前記灯体は、本体と、フランジと、発光部とを備え、
前記本体は、円筒形状に形成されて前記発光部を内部に収納し、外周面に前記外筒体の雌ねじと組み合わされる雄ねじを有し、回転することで前記外筒体からの突出量が変化するように構成され、
前記フランジは、前記本体の外周面に前記外周面に対して外側に向かって突出するように形成され、
前記発光部は、外部からの電力で発光し、前記本体の先端部から外側に光を放出するように構成され、
前記化粧パネルは、板状に形成され、前記本体の先端部に臨む開口部と、前記フランジにねじ止めされるねじを挿通するねじ挿通孔とを備え、
前記フランジは、前記本体の軸と同心の円弧状に形成される挿通孔を備え、
前記化粧パネルは、前記ねじ挿通孔から前記挿通孔に挿通される前記ねじとしてのボルトと、前記ボルトと組み合わされるナットによって、前記フランジにねじ止めされる
ことを特徴とする埋込型照明器具。
【請求項２】
外筒体と、灯体とを備え、
前記外筒体は、円筒形状に形成されて、内周面に雌ねじを有し、
前記灯体は、本体と、フランジと、発光部とを備え、
前記本体は、円筒形状に形成されて前記発光部を内部に収納し、外周面に前記外筒体の雌ねじと組み合わされる雄ねじを有し、回転することで前記外筒体からの突出量を変化させ、
前記発光部は、前記本体の先端部から外側に光を放出し、
前記フランジは、前記本体の外周面に前記外周面に対して外側に向かって突出し、前記本体の先端部に臨む開口部を備えた化粧パネルを当該照明器具に固定するためのねじを受けるように構成され、
前記化粧パネルは、板状に形成され、前記フランジにねじ止めされる前記ねじを挿通するねじ挿通孔を備え、
前記フランジは、前記本体の軸と同心の円弧状に形成される挿通孔を備え、
前記化粧パネルは、前記ねじ挿通孔から前記挿通孔に挿通される前記ねじとしてのボルトと、前記ボルトと組み合わされるナットによって、前記フランジにねじ止めされる
ことを特徴とする埋込型照明器具。
【請求項３】
前記ボルトは、前記ナットが前記ボルトの先端に向かって移動することを規制するストッパを備えることを特徴とする請求項１又は２に記載の埋込型照明器具。
【発明の詳細な説明】
【技術分野】
【０００１】
本発明は、埋込型照明器具に関し、特に、床などに埋込可能な構造をした埋込型照明器具に関する。
【背景技術】
【０００２】
従来例として、特許文献１記載の埋込型照明器具を例示する。特許文献１記載の埋込型照明器具は、結線用のボックス、ボックス高低調整台、灯体、外筒体などを備えている。ボックスは、床下などの設置面に設置されたボックス高低調整台の上部に固定される。灯体は、ボックス内の電源線に配線接続される光源部と、光源部を内部に配置し外周面に雄ねじを設けた本体とを備え、光源部を本体の内部に回転自在に保持している。外筒体は、灯体の雄ねじが螺合可能な雌ねじを内周面に有する。これにより、灯体は、外筒体に対して移動調整することができる。灯体を移動調整することで、灯体の天面と造営面、例えば床、との高さを合わせることができる。
【先行技術文献】
【特許文献】
【０００３】
【特許文献１】特開２００１−１５５５３０号公報
【発明の概要】
【発明が解決しようとする課題】
【０００４】
ところで、特許文献１記載の埋込型照明器具は、灯体を外筒体にねじ込むことで灯体の高さを調整しているので、造営面に露出する部分の形状が円筒形であるのが最も好ましい。つまり、埋込型照明器具の造営面に露出する部分の形状が角型、例えば矩形であると、高さ調整をする際、必ずしも所望の高さに調節できるとは限らない。
【０００５】
本発明は上記事由に鑑みてなされており、灯体の高さを調整可能としつつ、造営面に露出する部分の形状の自由度を高めることを目的とする。
【課題を解決するための手段】
【０００６】
本発明の埋込型照明器具は、外筒体と、灯体と、化粧パネルとを備え、前記外筒体は、円筒形状に形成されて、内周面に雌ねじを有し、前記灯体は、本体と、フランジと、発光部とを備え、前記本体は、円筒形状に形成されて前記発光部を内部に収納し、外周面に前記外筒体の雌ねじと組み合わされる雄ねじを有し、回転することで前記外筒体からの突出量が変化するように構成され、前記フランジは、前記本体の外周面に前記外周面に対して外側に向かって突出するように形成され、前記発光部は、外部からの電力で発光し、前記本体の先端部から外側に光を放出するように構成され、前記化粧パネルは、板状に形成され、前記本体の先端部に臨む開口部と、前記フランジにねじ止めされるねじを挿通するねじ挿通孔とを備え、前記フランジは、前記本体の軸と同心の円弧状に形成される挿通孔を備え、前記化粧パネルは、前記ねじ挿通孔から前記挿通孔に挿通される前記ねじとしてのボルトと、前記ボルトと組み合わされるナットによって、前記フランジにねじ止めされることを特徴とする。
【０００７】
本発明の埋込型照明器具は、外筒体と、灯体とを備え、前記外筒体は、円筒形状に形成されて、内周面に雌ねじを有し、前記灯体は、本体と、フランジと、発光部とを備え、前記本体は、円筒形状に形成されて前記発光部を内部に収納し、外周面に前記外筒体の雌ねじと組み合わされる雄ねじを有し、回転することで前記外筒体からの突出量を変化させ、前記発光部は、前記本体の先端部から外側に光を放出し、前記フランジは、前記本体の外周面に前記外周面に対して外側に向かって突出し、前記本体の先端部に臨む開口部を備えた化粧パネルを当該照明器具に固定するためのねじを受けるように構成され、前記化粧パネルは、板状に形成され、前記フランジにねじ止めされる前記ねじを挿通するねじ挿通孔を備え、前記フランジは、前記本体の軸と同心の円弧状に形成される挿通孔を備え、前記化粧パネルは、前記ねじ挿通孔から前記挿通孔に挿通される前記ねじとしてのボルトと、前記ボルトと組み合わされるナットによって、前記フランジにねじ止めされることを特徴とする。
【発明の効果】
【０００８】
本発明の埋込型照明器具は、高さ調整可能としつつ、造営面に露出する部分の形状の自由度を高めることができるという効果がある。
【図面の簡単な説明】
【０００９】
【図１】本発明に係る埋込型照明器具の実施形態１を示す分解斜視図である。
【図２】同上を示す断面図である。
【図３】本発明に係る埋込型照明器具の実施形態２を示す分解斜視図である。
【図４】同上を示す平面図である。
【図５】同上を示す断面図である。
【発明を実施するための形態】
【００１０】
以下、本発明に係る埋込型照明器具の実施形態について、図面を参照して詳細に説明する。各実施形態では、床に埋め込む埋込型照明器具を例示する。ただし、床以外に埋め込む埋込型照明器具に本発明の技術思想を適用することは可能である。なお、以下の説明においては、特に断りのない限り、図１において上下左右前後の各方向を規定する。
（実施形態１）
本実施形態の埋込型照明器具の構造について図１及び図２を参照して説明する。
【００１１】
本実施形態の埋込型照明器具は、図１に示すように、外筒体１と、灯体２と、化粧パネル３と、ボックス４と、プレート６と、ゴムパッキン７とを備えている。
【００１２】
ボックス４は、図２に示すように、上面が一部開口した矩形の箱形に形成されて、造営面１００の埋込孔１０１に埋込配設されている。ボックス４は、上面の４隅にねじ孔を備えている。
【００１３】
外筒体１は、円筒形状に形成され、内周面に雌ねじ１１を有する。
【００１４】
プレート６は、ボックス４の上面を覆う矩形の板状に形成されて、中央に灯体２が挿通される開口部６１を有する。また、プレート６は、ボックス４にねじ止めするためのねじ８２が挿通される挿通孔を４隅に有する。プレート６は、当該開口部の周囲に外筒体１の下端が例えば溶着されて固定されることが好ましい。
【００１５】
ゴムパッキン７は、ボックス４にねじ止めするためのねじ８２が挿通する複数のねじ挿通孔を４隅に設ける矩形の枠形状に形成されている。
【００１６】
プレート６とゴムパッキン７は、ねじ８２がプレート６の上方からプレート６及びゴムパッキン７のねじ挿通孔に挿通され、ボックス４のねじ孔にねじ込められることで、ボックス４にねじ止めされる。
【００１７】
灯体２は、図２に示すように、発光部２１と、本体２２と、フランジ２３と、プリズムパネル２４と、パネル２５とを備えている。また、灯体２は、枠体２６と、支持部２７を備えることが好ましい。
【００１８】
本体２２は、図１に示すように、円筒形状に形成され、外周面に外筒体１の雌ねじ１１に組み合わされる雄ねじ２２１を有する。本体２２の雄ねじ２２１が外筒体１の雌ねじ１１にねじ込まれて、灯体２を回転させることで上下方向の高さ（外筒体１の上端からの突出量）を調節することができる。また、本体２２には、外周面の上端付近にフランジ２３が設けられている。さらに、本体２２は、上端部の内周面にパネル２５を保持する段部２２２を有する（図２参照）。
【００１９】
枠体２６は、図２に示すように、外周面が本体２２の内径とほぼ同じ外径の円筒形状に形成され、上部と下部とを分ける隔て板２６１を有する。隔て板２６１には、電源線５が挿通される挿通孔が設けられている。枠体２６は、本体２２の内部に嵌め込まれる。
【００２０】
支持部２７は、本体２２の下端を覆うように円形板状に形成されて、枠体２６を下方から支持する。支持部２７は、電源線５が挿通される開口部を備えている。
【００２１】
発光部２１は、図２に示すように、電源線５に電気的に接続されている複数のＬＥＤ（Light-Emitting Diode）２１１で構成されている。ＬＥＤ２１１は、枠体２６内の上部に収納され、かつ枠体２６内に充填される合成樹脂（例えば、エポキシ樹脂）で固定されている。ＬＥＤ２１１から放射される光は、枠体２６の上端の開口を通して上方へ放射される。
【００２２】
電源線５は、枠体２６の隔て板２６１の挿通孔を通って、枠体２６の下部から引き出される。さらに、電源線５は、枠体２６の下部から支持部２７の開口部を通って、ボックス４内に引き回されている。電源線５は、ボックス４に接続されるケーブル保護管１１０を通って外部電源に接続されることが好ましい。
【００２３】
プリズムパネル２４は、光を透過させる材料、例えばアクリル樹脂、によって円盤形状に形成される。プリズムパネル２４は、本体２２の内部かつＬＥＤ２１１の上方に発光部２１を覆うように枠体２６の上端によって保持されている。
【００２４】
パネル２５は、強化ガラス等で円盤形状に形成され、本体２２を覆うように本体２２の段部２２２に下方から保持されている。
【００２５】
フランジ２３は、図１に示すように、本体２２の外周面に対して外側に向かって突出するように円環状に形成されている。
【００２６】
化粧パネル３は、造営面１００が例えば矩形のタイル張りの場合、造営面１００のタイルの形状に合わせた矩形板状に形成されることが好ましい。また、化粧パネル３は、灯体２の上端部が下方から差し込み可能な円形の開口部３１と、開口部３１の周囲に等間隔に配置される複数（図示では４個）の凹部３２とを備えている。
【００２７】
凹部３２は、ドリルねじ８１のねじ頭が造営面１００の上面から突出しない深さになるように形成され、底にドリルねじ８１のねじ部が挿通されるねじ挿通孔３２１を有する。
【００２８】
化粧パネル３は、図２に示すように、下面がフランジ２３の上面に当たって保持されている。化粧パネル３は、４個のねじ挿通孔３２１の各々に挿通される各ドリルねじ８１がフランジ２３にねじ込まれることで、フランジ２３にねじ止めされる。
【００２９】
なお、化粧パネル３の形状は矩形板状に限らず、造営面１００に施されたタイルなどの形状、例えば３角形の板状、に合わせた形状に形成されてもよい。
【００３０】
化粧パネル３は、開口部３１の代わりに透光性の材料によって形成されるカバーパネルを有してもよい。当該カバーパネルは、円形状に限らず、矩形や三角形など所望の形状に形成されてもよい。当該カバーパネルを有した化粧パネル３は、例えば、パネル２５の上面に配設され、ねじ８１によってフランジ２３にねじ止めされることが好ましい。また、例えば、化粧パネル３は、上下方向に対して２重構造に形成されてもよい。この場合、開口部３１の下部はパネル２５が差し込まれる円形状に形成され、上部は矩形状などの所望の形状に形成されることが好ましい。
【００３１】
従来の埋込型照明装置では、灯体の上端部が造営面に露出するように形成されており、上端面が円形に形成される必要があった。本実施形態の埋込型照明器具は、造営面１００に露出する化粧パネル３を備えることで、造営面１００に露出する部分の形状の自由度を高めることが可能になる。
【００３２】
本実施形態の埋込型照明器具の施工手順について、図１及び図２を参照して説明する。
【００３３】
ボックス４は、開口面が造営面１００に対向するように埋込孔１０１の底面に配設される。外筒体１が固定されているプレート６は、ボックス４の上部との間にゴムパッキン７を挟んで、複数（図示では４個）のねじ８２によって上方からボックス４にねじ止めされる。灯体２は、パネル２５の上面が造営面１００の上面と同じ高さになるまで、外筒体１にねじ込まれて、回転されて上下方向に移動する。なお、枠体２６が本体２２に対して回転可能に構成されている。したがって、灯体２の高さ調整時に、本体２２を回転させても枠体２６及びＬＥＤ２１１が回転しないので、電源線５にねじれが生じない。灯体２を所望の高さに調整した後、灯体２の上端部が化粧パネル３の開口部３１に差し込まれ、化粧パネル３はフランジ２３の上面に配置される。化粧パネル３は、４個のドリルねじ８１の各々が、各ねじ挿通孔３２１に挿通されて、フランジ２３にねじ止めされる。
【００３４】
なお、化粧パネル３のねじ挿通孔３２１の数及び形成場所は、本実施形態に限らない。
【００３５】
ＬＥＤ２１１の数は、本実施形態に限らず、１個でもよい。
【００３６】
パネル２５の外周面には、本体２２との間に隙間を設け、この隙間を埋める防水用のゴムパッキン９１を配設することが好ましい。
【００３７】
また、本実施形態の埋込型照明器具は、必ずしも化粧パネル３を備えなくてもよい。しかしながら、灯体２がフランジ２３を備えることで、必要に応じてフランジ２３に所望の形状の化粧パネルを取り付けることが可能になる。
【００３８】
本実施形態の埋込型照明器具は、外筒体１と、灯体２と、化粧パネル３とを備える。外筒体１は、円筒形状に形成されて、内周面に雌ねじ１１を有する。灯体２は、本体２２と、フランジ２３と、発光部２１とを備える。本体２２は、円筒形状に形成されて発光部２１を内部に収納し、外周面に外筒体１の雌ねじ１１と組み合わされる雄ねじ２２１を有し、回転することで外筒体１からの突出量が変化するように構成される。フランジ２３は、本体２２の外周面に外周面に対して外側に向かって突出するように形成される。発光部２１は、外部からの電力で発光し、本体２２の先端部から外側に光を放出するように構成される。化粧パネル３は、板状に形成され、本体２２の先端部に臨む開口部３１と、フランジ２３にねじ止めされるねじを挿通するねじ挿通孔３２１とを備える。
【００３９】
本実施形態の埋込型照明器具は上述のように構成されるので、化粧パネル３の形状が円形に限定されず、高さ調整可能としつつ、造営面に露出する部分の形状の自由度を高めることが可能である。
【００４０】
本実施形態の埋込型照明器具において、化粧パネル３は、ねじ挿通孔３２１に挿通されるドリルねじ８１によって、フランジ２３にねじ止めされることが好ましい。
【００４１】
本実施形態の埋込型照明器具が上述のように構成されれば、化粧パネル３がフランジ２３に容易に固定されることが可能である。
【００４２】
本実施形態の埋込型照明器具は、外筒体１と、灯体２とを備える。外筒体１は、円筒形状に形成されて、内周面に雌ねじ１１を有する。灯体２は、本体２２と、フランジ２３と、発光部２１とを備える。本体２２は、円筒形状に形成されて発光部２１を内部に収納する。本体２２は、外周面に外筒体１の雌ねじ１１と組み合わされる雄ねじ２２１を有し、回転することで外筒体１からの突出量を変化させる。発光部２１は、本体２２の先端部から外側に光を放出する。フランジ２３は、本体２２の外周面に外周面に対して外側に向かって突出し、本体２２の先端部に臨む開口部３１を備えた化粧パネル３を当該照明器具に固定するためのねじを受けるように構成される。
【００４３】
本実施形態の埋込型照明器具は、化粧パネル３を取付可能なフランジ２３を有しているので、化粧パネル３の形状が円形に限定されず、高さ調整可能としつつ、造営面に露出する部分の形状の自由度を高めることが可能である。
（実施形態２）
本実施形態の埋込型照明器具について、図３から図５を参照して説明する。本実施形態の埋込型照明器具では、灯体２のフランジ２３は、ボルト８３が挿通される挿通孔２３１を備えている点と、ボルト８３とナット８４とで締結される点が実施形態１と相違する。なお、フランジ２３が挿通孔２３１を備える点と、ボルト８３とナット８４とで締結される点以外、本実施形態は実施形態１と同様の構成及び機能を有する。実施形態１と重複する構成については、同じ符号を付し、詳しい説明は省略する。
【００４４】
灯体２のフランジ２３は、図３及び図４に示すように、灯体２の本体２２の軸と同心の円弧状に形成される複数（図示では４個）の挿通孔２３１を備えている。
【００４５】
４個の挿通孔２３１は、化粧パネル３の複数（図示では４個）のねじ挿通孔３２１に挿通されたボルト８３のねじ部が挿通されるように形成されている。化粧パネル３は、ボルト８３と、ボルト８３と組み合わされるナット８４によって、フランジ２３にねじ止め固定（締結）される（図３参照）。
【００４６】
また、フランジ２３は、図５に示すように、外周縁に段部２３２を設けることが好ましい。ナット８４が段部２３２に接することで、ナット８４の回転が規制され、化粧パネル３は、ボルト８３によってフランジ２３に容易にねじ止めされる。
【００４７】
なお、ボルト８３は、ナット８４がねじ部の下方に向け落ちることを防止するためのストッパ８５を備えることが好ましい。
【００４８】
実施形態１の埋込型照明器具では、一度化粧パネル３がフランジ２３にねじ止めされた後に化粧パネル３の角度を微調整する場合、ドリルねじ８１をフランジ２３から外して化粧パネル３の角度を微調整する必要がある。このとき、フランジ２３には、ドリルねじ８１がねじ込まれた孔が残る。化粧パネル３がフランジ２３に再度ねじ止めされるとき、ドリルねじ８１が当該孔に部分的に重なると、化粧パネル３はねじ止めされ難くなる。しかしながら、本実施形態の埋込型照明器具では、一度化粧パネル３がフランジ２３に締結された後に化粧パネル３の角度を微調整する場合、ナット８４を緩めることで、ボルト８３がフランジ２３の挿通孔２３１内で移動可能な状態になる。化粧パネル３は所望の角度に調整された後、ボルト８３とナット８４とで再度フランジ２３に締結されるので、本実施形態の埋込型照明器具では、化粧パネル３の角度を容易に微調整することができる。
【００４９】
本実施形態の埋込型照明器具は、フランジ２３は、本体２２の軸と同心の円弧状に形成される挿通孔２３１を備えることが好ましい。化粧パネル３は、ねじ挿通孔３２１から挿通孔２３１に挿通されるボルト８３と、ボルト８３と組み合わされるナット８４によって、フランジ２３にねじ止めされることが好ましい。
【００５０】
本実施形態の埋込型照明器具において、ボルト８３は、ナット８４がボルト８３の先端に向かって移動することを規制するストッパ８５を備えることが好ましい。
【００５１】
本実施形態の埋込型照明器具は、施工の際、灯体２の高さを容易に変更又は微調整することが可能である。
【符号の説明】
【００５２】
１  外筒体
１１  雌ねじ
２  灯体
２１  発光部
２２  本体
２２１  雄ねじ
２３  フランジ
２３１  挿通孔
３  化粧パネル
３１  開口部
３２１  ねじ挿通孔
８１  ドリルねじ
８３  ボルト
８４  ナット
８５  ストッパ
【図１】
0006473995.tif 000002
【図２】
0006473995.tif 000003
【図３】
0006473995.tif 000004
【図４】
0006473995.tif 000005
【図５】
0006473995.tif 000006